(57)【特許請求の範囲】
【請求項１】
ペンタプリズム及びフォーカシングスクリーンと、
前記ペンタプリズム及び前記フォーカシングスクリーンを保持する保持部材とを有し、
前記保持部材は、前記ペンタプリズム及び前記フォーカシングスクリーンの間で該保持部材によって形成された空間の内外を連通させる第１及び第２の通路を備え、
前記第１及び第２の通路の一端をそれぞれ形成する第１及び第２の穴は、前記保持部材を覆うフロントカバーを取り外した際に、前記保持部材のうち外部に露出する部分における同一領域内に設けられており、
前記第１の通路は前記空間内に空気を流入させるために用いられ、前記第２の通路は前記空間内に流入した空気を前記空間外に排出させるために用いられることを特徴とするカメラ。
【請求項２】
前記第１及び第２の穴が、前記保持部材のフロントカバー側における同一面内に位置していることを特徴とする請求項１に記載のカメラ。
【請求項３】
前記第１及び第２の穴が、前記フロントカバーの裏側に位置していることを特徴とする請求項１又は２に記載のカメラ。
【請求項４】
前記第１及び第２の穴を塞ぐための蓋部材を有し、
前記保持部材は、前記蓋部材を取り付けるための平面部を有することを特徴とする請求項１から３のいずれか１つに記載のカメラ。
【請求項５】
前記蓋部材が粘着シールであることを特徴とする請求項４に記載のカメラ。
【請求項６】
前記空間内のうち、前記フォーカシングスクリーンのファインダー視野範囲外に粘着部を設けたことを特徴とする請求項１から５のいずれか１つに記載のカメラ。
【発明の詳細な説明】
【０００１】
【発明の属する技術分野】
従来、カメラのファインダー光学系の光学部品にごみが付着すると、比較的焦点面に近い光学部品上のごみほど目立ちやすい。露出している光学部品の表面に付着したごみはブロア等で吹き飛ばしたり、溶剤等で拭き取ったりすることで除去できるが、ファインダー光学系の複数の光学部品で構成される閉鎖（密封）空間内に進入したごみは容易に除去することは不可能であり、分解清掃するしか方法がなかった。
【０００２】
そこで、例えば特開平８−２１１４５３号公報や特開平８−１３６９８２号公報には、内部にごみが侵入しないように密閉されたファインダー光学系の構成が提案されている。このような構成のファインダー光学系では、組立後の外部からのごみの侵入がないほか、組立てもクリーンルーム等で行われることが多く、組立て前後のごみの侵入は少ない。
【０００３】
【発明が解決しようとする課題】
しかしながら、しばしば構成部品の一部にゴミが付着したまま組み立てられ、組立完成後にそのごみが剥がれてファインダー視野内に付着したり、また、長期使用により、ゴースト対策等のために光学部品に施された塗装が剥がれ落ちたりして、これらが密閉されたファインダー光学系の視野内光学面に付着することがある。
【０００４】
そして、発見されたごみの除去は密閉されたファインダー光学系の部品を分解清掃するしか方法がなく、工場における組立工程途中での組み直しやサービスにおける分解清掃後の組み直しが必要になり多大な手間と時間を要した。
【０００５】
そこで、本発明は、光学部品により外部からごみが侵入しにくい閉鎖構造にするとともに、密閉空間内で発生したごみを容易に除去できるようにした光学機器を提供することを目的としている。
【０００６】
【課題を解決するための手段】
上記の目的を達成するため、本発明では、ペンタプリズム及びフォーカシングスクリーンと、ペンタプリズム及びフォーカシングスクリーンを保持する保持部材とを有し、保持部材は、ペンタプリズム及びフォーカシングスクリーンの間で保持部材によって形成された空間の内外を連通させる第１及び第２の通路を備え、第１及び第２の通路の一端をそれぞれ形成する第１及び第２の穴は、保持部材を覆うフロントカバーを取り外した際に、保持部材のうち外部に露出する部分における同一領域内に設けられており、第１の通路を、上記空間内に空気を流入させるために用い、第２の通路を、上記空間内に流入した空気を空間外に排出させるために用いている。
【０００７】
なお、上記第１及び第２の通路を、保持部材のフロントカバー側における同一面内に形成することにより、高圧空気を上記空間内でまんべんなく循環させ、効率よくごみを排出させることができるようにするのが望ましい。
【０００８】
また、上記第１及び第２の通路を、保持部材を覆うフロントカバーの裏側に形成して、フロントカバーを取り外すだけで第１及び第２の通路を露出させ、簡単に清掃できるようにするのが望ましい。
【０００９】
また、保持部材に蓋部材を取り付けるための平面部を形成することにより、蓋部材として粘着シール等、簡単に剥がしたり貼ったりできるものを用いることができるようにするのが望ましい。
【００１０】
さらに、上記空間内における光学部品の有効使用範囲（フォーカシングスクリーンのファインダー視野範囲）外に、粘着剤を塗布したり粘着材を貼る等したりして形成された粘着部を設けて、上記空間内から排出されなかったごみを粘着部に付着させるようにしてもよい。
【００１１】
【発明の実施の形態】
（第１実施形態）
図１から図６には、本発明の第１実施形態であるカメラを示している。なお、図１は上記カメラの全体構成を示す断面図であり、図２はファインダー光学系を含む組立状態のミラーボックスユニットの斜視図である。また、図３はファインダー光学系およびミラーボックスの分解斜視図であり、図４はミラーボックスの部分詳細図である。さらに、図５はカメラの外観図であり、図６はカメラの前カバーを外した状態の外観図である。
【００１２】
これらの図において、１はカメラ本体、２はカメラ本体１に固着されるファインダー光学系の基準となるミラーボックス、３はミラーボックス２の開口部に固着され、不図示の交換レンズを装着するマウントである。
【００１３】
４はミラーボックス２に対して回動自在に取り付けられたミラーユニット、５は、光入射面にフレネルレンズ５ａ、光射出面にマット面５ｂを有する交換可能なフォーカシングスクリーンである。６はフォーカシングスクリーン５が交換可能に装着され、ミラーボックス２に回動可能に支持された保持枠である。この保持枠６は、装着されたフォーカシングスクリーン５をピントの基準となるミラーボックス２の面に付勢圧接させる板バネ６ａと引っかけ部６ｂとを有する。
【００１４】
７は板バネにより形成され、保持枠６を所定位置にセットするために保持枠６の引っかけ部６ｂに係合する係合部材である。この係合部材７を反発方向に引くことで保持枠６が所定位置から外れるので、この状態で保持枠６に対するフォーカシングスクリーン５の着脱が可能となる。
【００１５】
８はマウント３の内側の保持枠６および係合部材７を覆ってミラーボックス２に固着されるカバーである。９は開口部を有する視野マスクであり、ファインダー視野の画面の境界を規定する。
【００１６】
１０は台座、１１はコンデンサーレンズ、１２はスペーサー、１３はペンタプリズムである。このペンタプリズム１３におけるファインダー光学系光束の入射面１３ａと射出面１３ｂ以外の部分は黒く塗装が施されている。
【００１７】
１４はペンタプリズム１３を覆うカバー、１５はバネ部材であり、図２に示すようにカバー１４の左右２箇所に設けられたフック部１４ａとミラーボックス２の左右２箇所ずつ形成されたフック部２ｉおよび穴部２ｊとに掛けられて、カバー１４をペンタプリズム１３に密着させる。
【００１８】
１６ａ，１６ｂは接眼レンズ、１７は保護ガラスであって、これらはフォーカシングスクリーン５、コンデンサーレンズ１１およびペンタプリズム１３とともにファインダー光学系を構成している。
【００１９】
２１は公知の焦点検出ユニット、２２はシャッター装置である。
【００２０】
２３は裏蓋、２４は上カバー、２５は前カバー、２６は底カバーであり、これらはカメラの外装部材を構成している。
【００２１】
２０はテープでありミラーボックス２の２カ所の平面部２ｆに貼り付けられて穴２ｇを塞ぐ。
【００２２】
ここで、図３および図４に示すように、ミラーボックス（請求の範囲にいう保持部材）２の上方のファインダー光学系保持部には、ファインダー光学系光束を導く開口部を有する棚部２ａと、その四方を囲む壁部２ｂ，２ｃ，２ｄ，２ｅとが形成されている。これら壁部のうち背壁部２ｅには、ペンタプリズム１３により偏向されたファインダー光束を接眼レンズ１６ａ，１６ｂに導くための開口部が形成されており、側壁部２ｃ，２ｄには、先に説明したフック部２ｉと穴部２ｊとが形成されている。
【００２３】
そして、上記壁部のうちマウント３の上方である前壁部（請求の範囲にいう同一面側）２ｂの左右２箇所には、厚さ方向外側の穴２ｇと厚さ方向内側の溝２ｈとが互いにつながって形成されている。なお、前壁部２ｂにおける穴２ｇの周囲部分には、図３に示すように穴２ｇを塞ぐ粘着シール２０を貼り付けるための平面部２ｆが形成されている。
次に図３を用いて、ミラーボックス２のファインダー光学系保持部へのファインダー光学系用部品の組み付けについて説明する。まず、ミラーボックス２の棚部２ａに上方から視野マスク９を置き、次に台座１０を落とし込み、さらにコンデンサーレンズ１１、スペーサー１２およびペンタプリズム１３の順に落とし込んでいく。
【００２４】
そして、カバー１４をペンタプリズム１３に被せて、バネ部材１５をカバー１４のフック部１４ａとミラーボックス２のフック部２ｉおよび穴２ｊとに掛け、ペンタプリズム１３をミラーボックス２の棚部２ａに向けて下方に付勢する。さらに、ペンタプリズム１３とミラーボックス２の壁部２ｂ，２ｃ，２ｄ，２ｅとの間の隙間を、図２に示すようにシリコン接着剤Ｂで封止する。また、ミラーボックス２の平面部２ｆに粘着テープ２０を貼り付ける。
【００２５】
ここで、コンデンサーレンズ１１は、入射側１１ａと射出側１１ｂの双方にそれぞれ曲面を有している。また、台座１０は、ファインダー光学系光束を通す開口部を有し、入射側１０ａが平面で形成され、射出側１０ｂはコンデンサーレンズ１１の入射側曲面１１ａに沿った曲面で形成されている。
【００２６】
スペーサー１２は、ファインダー光学系光束を通す開口部を有し、この開口部の内周側面には粘着剤（請求の範囲にいう粘着部）が塗布されている。また、スペーサー１２の入射側１２ａはコンデンサーレンズ１１の射出側曲面１１ｂに沿った曲面で形成され、射出側１２ｂはペンタプリズム１３の入射面１３ａに倣う平面で形成されている。さらに、スペーサー１２におけるミラーボックス２の２箇所の溝２ｈに対応する位置には切り欠き１２ｃが設けられている。なお、上記穴２ｇ、溝２ｆおよび切り欠き１２ｃにより請求の範囲にいう通路が形成される。
【００２７】
このように構成されたファインダー光学系において、上記シール２０を貼り付けた状態では、コンデンサーレンズ１１の射出側曲面１１ｂ〜ペンタプリズム１３の入射面１３ａまでの空間（閉鎖空間）はほぼ密閉された状態となる。したがって、この閉鎖空間への外部からのごみ等の侵入は極力防がれる。
【００２８】
また、焦点面を構成するフォーカシングスクリーン５に外部からのごみが付着する場合があるが、この場合、図７に示すように、板バネ７を手前に引いて保持枠６を下方に回動させればフォーカシングスクリーン５を取り外すことができるので、ブロア等で吹き飛ばして簡単にごみを除去することができる。さらに、コンデンサーレンズ１１の入射面１１ａに付着したごみも、同様にフォーカシングスクリーン５を取り外してブロア等で吹き飛ばせば、簡単に除去することができる。このように、外部に露出する部分に付着したごみについては、ユーザーにおいて容易に除去することができる。
【００２９】
しかし、組立時に上記閉鎖空間にごみが侵入したりカメラの長期使用によってペンタプリズム１３上の塗装が剥がれ落ちたりすることにより、これらごみ等がファインダー視野中に入ってしまう場合がある。
【００３０】
この場合は、まず、図５の状態から前カバー２５を取り外し、図６に示すようにミラーボックス２の前面側を露出させる。次に、平面部２ｆに張り付けられたテープ２０を剥がし、穴２ｇを露出させる。これにより、穴２ｇと溝２ｈと切り欠き１２ｃとからなる通路を通じて閉鎖空間の内外を連通させることができる。そして、図７に示すように、一方の通路にエアコンプレッサー等のノズルＡを差し込み、閉鎖空間内に高圧空気を流入させる。これにより、コンデンサーレンズ１１の射出側曲面１１ｂやペンタプリズム１３の入射面１３ａに付着したごみや塗装片が吹き飛ばされる。
【００３１】
ここで、本実施形態では、ミラーボックス２の同一面側に空気流入用の通路と空気排出用の通路とが設けられているため、上記閉鎖空間内をまんべんなく空気が循環し、コンデンサーレンズ１１の射出側曲面１１ｂやペンタプリズム１３の入射面１３ａにおけるファインダー視野内部分に付着していたごみ等を効率よく吹き飛ばして、他方の通路から排出させたりスペーサー１２の内周に塗布された粘着剤に付着させたりすることができる。こうして、閉鎖空間におけるファインダー視野内から簡単にごみを除去することができる。
【００３２】
このように本実施形態によれば、前カバー２５を取り外してシール２０を剥がすだけで、ミラーボックス２の２つの穴２ｇの一方から空気を流入させ、他方の穴２ｇからごみ等を排出させることができ、作業が終わればシール２０を平面部２ｆに貼り付けて穴２ｇを塞ぎ、前カバー２５を取り付けるだけで作業が完了する。
【００３３】
なお、本実施形態ではカメラのファインダー光学系の閉鎖空間内のごみを除去する場合について説明したが、本発明はカメラの他の部分の閉鎖空間やカメラ以外の光学機器内の閉鎖空間内からごみを除去する手段として用いることができる。
【００３４】
【発明の効果】
以上説明したように、本発明によれば、第１の通路から空間内に高圧空気を流入させてごみを吹き飛ばし、第１の通路と同じ側に設けられた第２の通路から排出させるようにして、簡単に上記空間内のごみを除去することができる。
【００３５】
なお、第１及び第２の通路を保持部材のフロントカバー側における同一面内に形成すれば、高圧空気を上記空間内でまんべんなく循環させ、効率よくごみを排出させることができる。また、第１及び第２の通路を、保持部材を覆うフロントカバーの裏側に形成すれば、フロントカバーを取り外すだけで第１及び第２の通路を露出させることができ、簡単に清掃作業を行うことができる。
【００３６】
また、保持部材に蓋部材を取り付けるための平面部を形成することにより、蓋部材として粘着シール等、簡単に剥がしたり貼ったりすることができるものを用いることができる。
【００３７】
さらに、上記空間内における光学部品の有効使用範囲（フォーカシングスクリーンのファインダー視野範囲）外に、粘着剤を塗布したり粘着材を貼る等したりして形成された粘着部を設ければ、上記空間内から排出されなかったごみを粘着部に付着させることができる。
【図面の簡単な説明】
【図１】本発明の第１実施形態であるカメラの全体構成を示す側面断面図である。
【図２】上記カメラのミラーボックスユニットの斜視図である。
【図３】上記カメラのミラーボックスユニットおよびファインダー光学系の分解斜視図である。
【図４】上記ミラーボックスの部分詳細を示す斜視図である。
【図５】上記カメラの外観正面図である。
【図６】上記カメラから前カバーを取り外した状態を示す外観正面図である。
【図７】
上記ファインダー光学系の閉鎖空間からのゴミ除去を示す説明図である。
【符号の説明】
１…カメラ本体
２…ミラーボックス
２ｇ，２ｈ，１２ｃ…通路
３…マウント
４…ミラー
５…フォーカシングスクリーン
６…保持枠
７…係合部材
８…カバー
９…視野マスク
１０…台座
１１…コンデンサーレンズ
１２…スペーサー
１３…ペンタプリズム
１４…カバー
１５…バネ部材
１６ａ，１６ｂ…接眼レンズ
１７…保護ガラス
２０…粘着シール
２１…焦点検出ユニット
２２…シャッター装置
２３…裏蓋
２４…上カバー
２５…前カバー
２６…底カバー
Ａ…ノズル
Ｂ…シリコン
【図１】
0003962456.tif 000002
【図２】
0003962456.tif 000003
【図３】
0003962456.tif 000004
【図４】
0003962456.tif 000005
【図５】
0003962456.tif 000006
【図６】
0003962456.tif 000007
【図７】
0003962456.tif 000008